(57)【要約】      （修正有）【課題】製品の種類に拘わらず広く使用できるようにする。【解決手段】製品に取り付けて製品の表面を保護するシート本体３を有する製品保護シート２に関する。上記シート本体３が、製品１の表面を覆う表面保護部２１と、この表面保護部２１の縁部に一体に形成されて製品の裏面側へ回り込む裏面側廻り込部２２と、この裏面側廻り込部２２と上記表面保護部２１との境界部分に設けられた破断予定線部２３と、を有する。上記裏面側廻り込部２２に、上記表面保護部２１へ作用された外力を変形によって吸収する外力吸収用スリット部２４を設ける。【選択図】図４
2016155556.tif 000002
【特許請求の範囲】
【請求項１】
製品に取り付けて製品の表面を保護するシート本体を有する製品保護シートであって、
前記シート本体が、製品の表面を覆う表面保護部と、該表面保護部の縁部に一体に形成されて製品の裏面側へ回り込む裏面側廻り込部と、該裏面側廻り込部と前記表面保護部との境界部分に設けられた破断予定線部と、を有し、
前記裏面側廻り込部に、前記表面保護部へ作用された外力を変形によって吸収する外力吸収用スリット部を設けたことを特徴とする製品保護シート。
【請求項２】
請求項１に記載の製品保護シートにおいて、
前記外力吸収用スリット部が、製品の裏面側から突設された突起部に通して係止させるための係止穴とされたことを特徴とする製品保護シート。
【請求項３】
請求項１または請求項２に記載の製品保護シートにおいて、
前記破断予定線部の端部に、前記外力吸収用スリット部の外側を通って前記裏面側廻り込部の縁部まで延びる補助破断予定線部を設けると共に、
該補助破断予定線部の強度を、前記破断予定線部の強度よりも弱くしたことを特徴とする製品保護シート。
【請求項４】
請求項３に記載の製品保護シートにおいて、
破断予定線部と補助破断予定線部とが交わる部分に対し、補助破断予定線部からの力が破断予定線部へ伝わり易くするためのアール部を形成したことを特徴とする製品保護シート。
【請求項５】
請求項１または請求項２に記載の製品保護シートにおいて、
前記破断予定線部の端部、または、前記補助破断予定線部がある場合の補助破断予定線部の少なくとも一端部を、シート本体の縁部に対して、９０°以外の角度を有して交差させたことを特徴とする製品保護シート。
【発明の詳細な説明】
【技術分野】
【０００１】
この発明は、製品保護シートに関するものである。
【背景技術】
【０００２】
製品を保護するために、製品の表面に保護シート（製品保護シート）を取り付けることが行われている（例えば、特許文献１参照）。
【先行技術文献】
【特許文献】
【０００３】
【特許文献１】特開平０８−３０２３１１号公報
【発明の概要】
【発明が解決しようとする課題】
【０００４】
上記特許文献１に記載された製品保護シートは、粘着性を有するものとなっていた。そのため、例えば、製品の表面が塗装面である場合に、粘着剤が塗装面に影響を与えるおそれがあるので、製品によっては使用できないという問題があった。
【０００５】
そこで、本発明は、上記した問題点を解決することを、主な目的としている。
【課題を解決するための手段】
【０００６】
上記課題を解決するために、本発明は、
製品に取り付けて製品の表面を保護するシート本体を有する製品保護シートであって、
前記シート本体が、製品の表面を覆う表面保護部と、該表面保護部の縁部に一体に形成されて製品の裏面側へ回り込む裏面側廻り込部と、該裏面側廻り込部と前記表面保護部との境界部分に設けられた破断予定線部と、を有し、
前記裏面側廻り込部に、前記表面保護部へ作用された外力を変形によって吸収する外力吸収用スリット部を設けたことを特徴としている。
【発明の効果】
【０００７】
本発明によれば、上記構成によって、製品の種類に拘わらず広く使用することができる。
【図面の簡単な説明】
【０００８】
【図１】本実施の形態にかかるインストルメントパネルに装飾パネル（製品）を取り付けた状態を示す全体斜視図である。
【図２】図１の装飾パネルに対して製品保護シートを取り付ける状態を示す斜視図である。
【図３】図２の装飾パネルおよび製品保護シートを背面側から見た図である。
【図４】製品保護シートの拡大図である。
【図５】図４の上側部分の拡大図である。
【図６】図５の上側部分（Ａ部）の拡大図である。
【図７】図５の下側部分（Ｂ部）の拡大図である。
【発明を実施するための形態】
【０００９】
以下、本実施の形態を、図面を用いて詳細に説明する。
図１〜図７は、この実施の形態を説明するためのものである。
【実施例１】
【００１０】
＜構成＞以下、この実施例の構成について説明する。
【００１１】
図１〜図３に示すように、製品１を保護するための保護シート（製品保護シート２）を設ける。この製品保護シート２は、製品１に取り付けて製品１の表面を保護するシート本体３を有するものとされる。
【００１２】
ここで、製品１は何でも良いが、例えば、図１に示すような、自動車の車両の車室内前部に設置されたインストルメントパネル１１に対して取り付けられる装飾パネル１２などとする。この場合、装飾パネル１２は、部品メーカーから車体メーカーへ納入される「製品１」となる。この装飾パネル１２は、インストルメントパネル１１の車幅方向の中央部に取り付けられるセンタークラスターなどと呼ばれるものである。
【００１３】
図２（図３）に示すように、この装飾パネル１２は、少なくとも、センターベンチレータグリルが取り付けられるグリル取付用開口部１３、および、カーナビゲーション装置などの電子ユニットが取り付けられる電子ユニット取付用開口部１４を上下に有する対向面部１５と、この対向面部１５の両側部から下方へ延びる側面部１６と、対向面部１５の上部から車両前方へ所要の幅で延びる上面部１７と、を有している。そして、この装飾パネル１２は、少なくとも、対向面部１５のグリル取付用開口部１３の周辺（上半部）が塗装面とされている。また、この装飾パネル１２の裏面側には、図３に示すように、インストルメントパネル１１に爪固定するための爪部１８が突設されている。
【００１４】
この場合、製品保護シート２は、装飾パネル１２の塗装面などを保護するために使用される。製品保護シート２は、装飾パネル１２が塗装された後に取り付けられると共に、インストルメントパネル１１へ装飾パネル１２が取り付けられた後に取り外される。シート本体３は、透明な薄い樹脂フィルムや不織布などとされる。この場合、シート本体３は、全体に粘着性のないものとされている。但し、部分的に粘着性を有するものとしたり、または、全面に粘着性を有するものとしたりすることができる。
【００１５】
以上のような基本的な構成に対し、この実施例では、以下のような構成を備えるようにしている。
【００１６】
（１）図４に示すように、上記シート本体３が、製品１の表面を覆う表面保護部２１と、この表面保護部２１の縁部に一体に形成されて製品１の裏面側へ回り込む裏面側廻り込部２２と、この裏面側廻り込部２２と上記表面保護部２１との境界部分に設けられた破断予定線部２３と、を有するものとされる。
そして、上記裏面側廻り込部２２に、上記表面保護部２１へ作用された外力を変形によって吸収する外力吸収用スリット部２４を設ける。
【００１７】
ここで、表面保護部２１は、製品１の外側に露出する部分のほぼ全部を覆うことができるものとするのが好ましい。または、表面保護部２１は、製品１の外側に露出する部分の一部を覆うものとしても良い。この場合には、主に、装飾パネル１２の上半部（対向面部１５の上半部と、側面部１６の上半部と、上面部１７）を覆うものとされる。表面保護部２１には、グリル取付用開口部１３の位置に開口部２５を設けることができる。
【００１８】
裏面側廻り込部２２は、表面保護部２１の縁部の少なくとも一部に設けられる。裏面側廻り込部２２は、少なくとも２箇所、または、それ以上設けるようにする。この場合には、表面保護部２１の左右の縁部の位置と、上側の縁部の位置とに対して、それぞれ１箇所ずつ、合計３箇所設けられている。裏面側廻り込部２２は、表面保護部２１の縁部から部分的に張り出すように形成されている。
【００１９】
裏面側廻り込部２２と上記表面保護部２１との境界部分は、装飾パネル１２の側面部１６および上面部１７の端縁部にほぼ沿った位置とされる。
【００２０】
破断予定線部２３は、この場合、ミシン目２６などとされる。表面保護部２１へ作用された外力は、製品１が正しく取り扱われないことなどによって製品１に作用される突発的な力のことであり、製品保護シート２を除去するために加えられる力は含まれない。破断予定線部２３は、上記した境界部分の全長に亘って延びるように設けるのが好ましい。但し、破断予定線部２３は、後述するように、境界部分の一部のみに対して設けることもできる。
【００２１】
外力吸収用スリット部２４は、この場合、Ｉ字状またはＨ字状の切り込みなどとされる。但し、外力吸収用スリット部２４は、Ｉ字状またはＨ字状の切り込みに限るものではない。外力吸収用スリット部２４は、裏面側廻り込部２２の縁部に対し、指でつかむ部分（把持部２７）を有した内側の位置に形成される。
【００２２】
（２）上記外力吸収用スリット部２４が、製品１の裏面側から突設された突起部３１（図３参照）に通して係止させるための係止穴３２とされる。
【００２３】
ここで、突起部３１は、装飾パネル１２の裏面側から突設された爪部１８や、位置決めピンや、取り付けボスなどとすることができる。なお、突起部３１は、製品保護シート２のために専用に設けることもできる。外力吸収用スリット部２４は、突起部３１の位置に合うように正確な位置に正確な大きさに形成し、突起部３１に係止させた時に、外力吸収用スリット部２４や破断予定線部２３や裏面側廻り込部２２などに無理な力が作用しないようにすることで、係止穴３２として使用できるものになる。
【００２４】
外力吸収用スリット部２４を係止穴３２とすることによって、外力吸収用スリット部２４を、製品保護シート２を製品１に取り付けるのに利用することが可能となる。
なお、外力吸収用スリット部２４を係止穴３２としない場合には、外力吸収用スリット部２４は、外力吸収専用のものとして使用される。この場合、例えば、裏面側廻り込部２２に装飾パネル１２の裏面側へ貼着可能な粘着部を設けたり、装飾パネル１２（製品１）の裏面側に裏面側廻り込部２２を挟み込む部分（挟着固定部など）を形成したりするなどによって、製品保護シート２を製品１に取り付けることができる。
【００２５】
（３）図５に示すように、上記破断予定線部２３の端部に、上記外力吸収用スリット部２４の外側を通って上記裏面側廻り込部２２の縁部まで延びる補助破断予定線部４１を設ける。
そして、この補助破断予定線部４１の強度を、上記破断予定線部２３の強度よりも弱くする。
【００２６】
ここで、外力吸収用スリット部２４の外側とは、破断予定線部２３の一方の端部と外力吸収用スリット部２４とを結ぶ線を基準線にして破断予定線部２３の他方の端部が属さない側のことである。補助破断予定線部４１は、外力吸収用スリット部２４から離れた位置に設ける程、外力吸収用スリット部２４の変形の影響を受け難くなって破断し難くなる。反対に、補助破断予定線部４１は、外力吸収用スリット部２４に近い位置に設ける程、外力吸収用スリット部２４の変形の影響を受け易くなって破断し易くなる。よって、補助破断予定線部４１は、外力吸収用スリット部２４に対して、最適な距離だけ離して形成する。
【００２７】
図６に示すように、破断予定線部２３の破断によって、表面保護部２１と裏面側廻り込部２２とを分離させるためには、破断予定線部２３の両端部は、それぞれシート本体３の縁部に達している必要がある。よって、破断予定線部２３の端部に補助破断予定線部４１を設ける場合には、補助破断予定線部４１は、裏面側廻り込部２２の内部のみを通って、裏面側廻り込部２２の縁部にその端部が到達されるようにする。
【００２８】
そして、補助破断予定線部４１は、破断予定線部２３の一方の端部に対して１本設けることや、両端部に対して２本設けることができる。この場合には、境界部分よりも短くした破断予定線部２３の両端部に２本の補助破断予定線部４１を設けると共に、全体をＵ字状にして、外力吸収用スリット部２４の周囲の部分が四角形状に破断されるようにしている。
【００２９】
なお、破断予定線部２３が複数箇所ある場合に、補助破断予定線部４１は、少なくとも１つの破断予定線部２３に対して設けるようにする。この場合には、このシート本体３の上側の破断予定線部２３に対して、図５に示すように、全体でＵ字状となるように２本の補助破断予定線部４１を設けている。
【００３０】
更に、補助破断予定線部４１は、ミシン目４５などとされる。そして、破断予定線部２３のミシン目２６と、補助破断予定線部４１のミシン目４５とは、共に、切り込み部４６，４７と、つなぎ部４８，４９とを交互に形成した破線状のものとされる。そして、ミシン目２６，４５の強さは、切り込み部４６，４７の長さや、つなぎ部４８，４９の長さなどによって設定することができる。この場合には、補助破断予定線部４１のミシン目４５のつなぎ部４９の長さを、破断予定線部２３のミシン目２６のつなぎ部４８の長さよりも短くすることによって、上記した強度差を付けるようにしている。なお、各ミシン目２６，４５は、シート本体３の縁部に達する交点部分が、切り込み部４７となるように形成するのが、破断の開始を促進する上では好ましい。
【００３１】
（４）破断予定線部２３と補助破断予定線部４１とが交わる部分に対し、必要に応じて、補助破断予定線部４１からの力が破断予定線部２３へ伝わり易くするためのアール部５１を形成する。
【００３２】
ここで、アール部５１は、曲率半径を小さくするよりも、大きくした方が好ましい。なお、具体的なアール部５１の曲率半径は、シート本体３の形状によって異なるので、トライアンドエラーによって最適に設定する。
【００３３】
（５）破断予定線部２３、または、補助破断予定線部４１がある場合の補助破断予定線部４１の少なくとも一端部を、シート本体３の縁部に対して、９０°以外の角度６１を有して交差させる。
【００３４】
ここで、９０°以外の角度６１は、破断予定線部２３の場合、表面保護部２１の側が鈍角、裏面側廻り込部２２の側が鋭角となるように交差させるのが好ましい。また、補助破断予定線部４１の場合、裏面側廻り込部２２の縁部と交差するので、どちら側を鈍角にするか、鋭角にするかはシート本体３の形状に応じて決めるようにすれば良い。
【００３５】
そして、９０°以外の角度６１にするために、シート本体３の縁部は、少なくとも、破断予定線部２３または補助破断予定線部４１の端部との交点部分の周辺が、製品１の縁部と平行にならないような傾斜形状にする。この際、シート本体３の縁部に対して、９０°以外の角度６１を有して交差させる破断予定線部２３または補助破断予定線部４１の端部は、製品保護シート２を除去するために加えられる力の方向とは反対側に位置する端部とするのが好ましい。この場合には、製品保護シート２を下側に引っ張って除去することを想定して、破断予定線部２３または補助破断予定線部４１の上側に対する端部を、シート本体３の縁部に対して、９０°以外の角度６１を有して交差させるようにしている。
【００３６】
＜作用効果＞この実施例によれば、以下のような作用効果を得ることができる。
【００３７】
（作用効果１）製品保護シート２は、製品１に取り付けることで製品１の表面を保護するものである。この製品保護シート２を、表面保護部２１と裏面側廻り込部２２と破断予定線部２３とを有するシート本体３によって構成する。このシート本体３は、製品１の表面を表面保護部２１で覆い、裏面側廻り込部２２を製品１の裏面側へ回り込ませて裏面側に留めることで設置される。このように、裏面側廻り込部２２を有して製品１の裏面側に留めるようにしたことにより、製品１の種類に拘わらず広く使用することが可能となる。例えば、塗装面を有する製品１に対しても支障なく使用することができる。
【００３８】
そして、製品保護シート２を取り除く場合には、表面保護部２１を引っ張って、破断予定線部２３を破断させるようにする。これにより、表面保護部２１と裏面側廻り込部２２とが分離されて、製品１の表面から表面保護部２１を取り除くことが可能となる。
【００３９】
そして、この製品保護シート２は、製品１に取り付けてから取り外す時が来るまでの間に、突発的な外力で破断予定線部２３が破断してしまわないようにする必要がある。
【００４０】
そこで、この製品保護シート２の裏面側廻り込部２２に外力吸収用スリット部２４を設けた。これにより、表面保護部２１に突発的な外力が作用された場合に、外力吸収用スリット部２４が変形して表面保護部２１に作用された外力を吸収することで、破断予定線部２３が突発的な外力によって不用意に破断してしまうのを防止することができる。これにより、取り外す時が来るまでの間、破断予定線部２３が破断しないように保持させることが可能となる。
【００４１】
（作用効果２）外力吸収用スリット部２４を係止穴３２とした。これにより、製品１の表面を表面保護部２１で覆い、裏面側廻り込部２２を製品１の裏面側へ回り込ませた後、裏面側廻り込部２２に形成された外力吸収用スリット部２４を製品１の裏面側から突設された突起部３１へ通して係止させることで、簡単且つ確実に製品１にシート本体３を取り付けることが可能となる。即ち、外力吸収用スリット部２４を、外力吸収用と、製品１に対する取付用とに兼用させて使用することができる。
【００４２】
しかも、製品１の裏面側から突設された突起部３１を有効に利用して製品保護シート２の取り付けを行うことができる。製品１の裏面側から突設された突起部３１は、製品１を他の部品（この場合には、インストルメントパネル１１）に取り付けるためのものであることが多いため、製品１にとってバランスの良い位置に設けられている可能性が高いので、この突起部３１を使用することで、製品保護シート２を製品１に対してバランス良く取り付けることが可能となり、便宜が良い。
【００４３】
また、表面保護部２１に（取り外すための）力を加えて破断予定線部２３を破断させ、表面保護部２１を製品１の表面から取り除いた時に、分離された裏面側廻り込部２２を、突起部３１によって確実に係止保持させておくことができるので、分離された裏面側廻り込部２２が、製品１の表面側へ部分的にハミ出したり、飛び出てきたりすることや、分離された裏面側廻り込部２２が、製品１の裏面側から脱落して別の場所へ入り込んだりするなどの不具合を防止することができる。
【００４４】
（作用効果３）破断予定線部２３の端部に補助破断予定線部４１を設けた。そして、補助破断予定線部４１の強度を、破断予定線部２３の強度よりも弱くした。
【００４５】
これにより、製品保護シート２を除去するために表面保護部２１を引っ張ると、先ず、裏面側廻り込部２２の外力吸収用スリット部２４が変形する。そして、外力吸収用スリット部２４の変形が大きくなると、外力吸収用スリット部２４の側部を通る補助破断予定線部４１に力が作用し、比較的弱い補助破断予定線部４１が破断起点となって最初に破断する。そして、この補助破断予定線部４１の破断が破断予定線部２３まで伝えられることで、破断予定線部２３が続けて破断されることになる。更に、１つの破断予定線部２３が破断されると、その勢いなどで、他の破断予定線部２３も一気に破断されることになる。
【００４６】
ここで、製品保護シート２に掛かる突発的な外力は、ランダムな方向に作用される。これに対し、製品保護シート２を除去するための力は、破断予定線部２３へ向けて集中的に作用される。よって、同じ大きさであっても、製品保護シート２を取り外すための力の方が、破断予定線部２３が破断され易くなる。しかも、上記破断予定線部２３に補助破断予定線部４１を設けることで、補助破断予定線部４１が破断起点となるため、製品保護シート２を取り外す力をより有効に使って破断予定線部２３を破断させることができる。
【００４７】
更に、補助破断予定線部４１を設けて破断起点とし、補助破断予定線部４１がない場合よりも破断予定線部２３を強くすることで、突発的な外力で破断されないようにする機能を向上させつつ、製品保護シート２を除去する際には、より少ない力で破断予定線部２３を破断させることが可能となり、相反する機能を両立させることができる。
【００４８】
（作用効果４）破断予定線部２３と補助破断予定線部４１とが交わる部分に対しアール部５１を形成した。これにより、補助破断予定線部４１からの力を破断予定線部２３へ伝わり易くして、補助破断予定線部４１の破断によって破断予定線部２３を破断させ易くすることができる。
【００４９】
（作用効果５）破断予定線部２３、または、補助破断予定線部４１がある場合の補助破断予定線部４１の少なくとも一端部を、シート本体３の縁部に対して、９０°以外の角度６１を有して交差させた。これにより、破断予定線部２３または補助破断予定線部４１の破断を、容易に開始させることができる。
【符号の説明】
【００５０】
１    製品
２    製品保護シート
３    シート本体
２１  表面保護部
２２  裏面側廻り込部
２３  破断予定線部
２４  外力吸収用スリット部
３１  突起部
３２  係止穴
４１  補助破断予定線部
５１  アール部
６１  角度
【図１】
2016155556.tif 000003
【図２】
2016155556.tif 000004
【図３】
2016155556.tif 000005
【図４】
2016155556.tif 000006
【図５】
2016155556.tif 000007
【図６】
2016155556.tif 000008
【図７】
2016155556.tif 000009